(57)【要約】【課題】本発明は、シューズ用、特にサッカーシューズまたはアメリカンフットボールシューズ用支持要素、ならびに支持要素を有するソールおよびシューズに関する。【解決手段】本発明の態様によれば、シューズ、特にサッカーシューズまたはアメリカンフットボールシューズ用支持要素が設けられる。支持要素は、閾値角度範囲までの曲げのない初期状態からの曲げに対する第１の曲げ剛性を有し、閾値角度範囲を超える曲げに対する第２の曲げ剛性を有するように設けられる。ここで、第２の曲げ剛性は第１の曲げ剛性よりも大きい。【選択図】図３ａ
2015198931.tif 000002
【特許請求の範囲】
【請求項１】
シューズ（５５０、６５０ａ、６５０ｂ、６５０ｃ、７５０、８００）、特にサッカーシューズまたはアメリカンフットボールシューズ用支持要素（２００、４００、５００、６００ａ、６００ｂ、６００ｃ、７００）であって、前記支持要素（２００、４００、５００、６００ａ、６００ｂ、６００ｃ、７００）が、
ａ．曲げのない初期状態から閾値角度範囲までの曲げに対する第１の曲げ剛性を有し、
ｂ．前記閾値角度範囲を超える曲げに対する第２の曲げ剛性を有し、
ｃ．前記第２の曲げ剛性が前記第１の曲げ剛性よりも大きくなるように設けられる支持要素。
【請求項２】
前記閾値角度範囲が、前記初期状態に対して測定された１０°〜３０°、好ましくは１５°〜２５°、特に好ましくは１８°〜２２°にわたる、請求項１に記載の支持要素（２００、４００、５００、６００ａ、６００ｂ、６００ｃ、７００）。
【請求項３】
前記第２の曲げ剛性と前記第１の曲げ剛性との比が１．１：１〜４：１の範囲、好ましくは１．２：１〜３：１の範囲、特に好ましくは２：１〜２．４：１の範囲にある、請求項１または２に記載の支持要素（２００、４００、５００、６００ａ、６００ｂ、６００ｃ、７００）。
【請求項４】
前記第１の曲げ剛性および前記第２の曲げ剛性は各々、足のロールオフ方向に沿った前記支持要素の曲げ剛性を意味する、請求項１〜３のいずれか一項に記載の支持要素（２００、４００、５００、６００ａ、６００ｂ、６００ｃ、７００）。
【請求項５】
前記支持要素が足の前半部を支持するために設けられる、請求項１〜４のいずれか一項に記載の支持要素（２００、４００、５００、６００ａ、６００ｂ、６００ｃ、７００）。
【請求項６】
前記支持要素（２００、４００、５００、６００ａ、６００ｂ、６００ｃ）が曲げシステム（２０５、４０５、５００、６００ａ、６００ｂ、６００ｃ、９０５、１００５、１１０５）を備え、前記曲げシステムが、前記閾値角度範囲を超える曲げに対して、追加の引張応力を前記曲げシステム（２０５、４０５、５００、６００ａ、６００ｂ、６００ｃ、９０５、１００５、１１０５）内で発生させることにより、前記曲げ剛性が増加するように設けられる、請求項１〜５のいずれか一項に記載の支持要素（２００、４００、５００、６００ａ、６００ｂ、６００ｃ）。
【請求項７】
前記曲げシステム（２０５、４０５、５００、９０５、１００５）が、第１の曲げ要素（２１０、４１０、５１０、９１０、１０１０）および第２の曲げ要素（２２０、４２０、５２０、９２０、１０２０）を備え、前記第１の曲げ要素および前記第２の曲げ要素は、追加の引張応力を発生させるために、前記閾値角度範囲を超える曲げに対して互いに係合するように配置される、請求項６に記載の支持要素（２００、４００、５００）。
【請求項８】
前記第１の曲げ要素（２１０、４１０、５１０、９１０、１０１０）が少なくとも１つの突起（２１５、４１５、５１５、９１５、１０１５）を備え、前記突起が、前記第２の曲げ要素（２２０、４２０、５２０、９２０、１０２０）の凹部（２２６、４２６、５２５、９２６、１０２６）に配置され、前記閾値角度範囲を超える曲げに対して前記凹部（２２６、４２６、５２５、９２６、１０２６）の縁部に圧力嵌めにより当接する、請求項７に記載の支持要素（２００、４００、５００）。
【請求項９】
前記第１の曲げ要素（２１０、４１０、５１０、９１０、１０１０、１１１０）および前記第２の曲げ要素（２２０、４２０、５２０、９２０、１０２０、１１２０）が２つの可撓性金属板として設けられる、請求項７または８に記載の支持要素（２００、４００、５００）。
【請求項１０】
前記曲げシステム（２０５、４０５、９０５、１１０５）が、第１の固定デバイス（２１１、２２１、４１１、４２１、９１１、９２１）および第２の固定デバイス（２１２、２２２、４１２、４２２、９１２、９２２、１１１２、１１２２）を備え、前記第１の固定デバイス（２１１、２２１、４１１、４２１、９１１、９２１）が、前記第１の固定デバイス（２１１、２２１、４１１、４２１、９１１、９２１）に対する前記曲げシステム（２０５、４０５、９０５、１１０５）の動きを防止するように配置され、前記第２の固定デバイス（２１２、２２２、４１２、４２２、９１２、９２２、１１１２、１１２２）が、前記閾値角度範囲までの曲げに対して、前記第２の固定デバイス（２１２、２２２、４１２、４２２、９１２、９２２、１１１２、１１２２）に対する前記曲げシステム（２０５、４０５、９０５、１１０５）の動きを可能にし、前記閾値角度範囲を超える曲げに対して動きを防止することにより、前記曲げシステム（２０５、４０５、９０５、１１０５）内に引張応力を発生させるように配置される、請求項６〜９のいずれか一項に記載の支持要素（２００、４００）。
【請求項１１】
前記第２の固定デバイス（２１２、２２２、４１２、４２２、９１２、９２２、１１１２、１１２２）が、前記曲げシステム（２０５、４０５、９０５、１１０５）の開口（２１８、２２８、１１１８、１１２８）内に配置され、前記閾値角度範囲までの曲げに対して前記開口（２１８、２２８、１１１８、１１２８）内で基本的に自由に動くことができ、前記閾値角度範囲を超える曲げに対して前記開口（２１８、２２８、１１１８、１１２８）の縁部によってさらなる動きが防止されるようになっている、請求項１０に記載の支持要素（２００、４００）。
【請求項１２】
前記曲げシステム（２０５、４０５、９０５、１１０５）の前記開口（２１８、２２８、１１１８、１１２８）が細長孔として設けられる、請求項１１に記載の支持要素（２００、４００）。
【請求項１３】
前記曲げシステム（２０５、４０５、９０５、１１０５  ）が紐要素（６２５ａ、６２５ｂ、６２５ｃ）を備え、前記閾値角度範囲までの曲げに対して、前記紐要素（６２５ａ、６２５ｂ、６２５ｃ）が第１の引張応力を受け、前記閾値角度範囲を超える曲げに対して、前記紐要素（６２５ａ、６２５ｂ、６２５ｃ）が前記第１の引張応力よりも大きい第２の引張応力を受ける、請求項６に記載の支持要素（６００ａ、６００ｂ、６００ｃ）。
【請求項１４】
前記第１の引張応力がゼロである、請求項１３に記載の支持要素（６００ａ、６００ｂ、６００ｃ）。
【請求項１５】
前記支持要素（７００）が曲げシステム（７００）を備え、前記曲げシステム（７００）が、前記閾値角度範囲を超える曲げに対して、追加の圧縮応力が前記曲げシステム（７００）内で発生することにより、前記曲げ剛性が増加するように設けられる、請求項１〜５のいずれか一項に記載の支持要素（７００）。
【請求項１６】
前記曲げシステム（７００）が第１の圧力要素（７１０）および第２の圧力要素（７２０）を備え、前記第１の圧力要素（７１０）および前記第２の圧力要素（７２０）が、前記追加の圧縮応力を発生させるために、前記閾値角度範囲を超える曲げに対して互いに押し付けられるように配置される、請求項１５に記載の支持要素（７００）。
【請求項１７】
前記閾値角度範囲が第１の閾値角度範囲であり、前記支持要素（２００、４００、５００、６００ａ、６００ｂ、６００ｃ、７００）が、第２の閾値角度範囲を超える曲げに対して前記第２の曲げ剛性よりも大きい第３の曲げ剛性を有するようにさらに設けられ、前記初期状態に対して測定された前記第２の閾値角度範囲が前記第１の閾値角度範囲よりも大きい角度にわたって延びる、請求項１〜１６のいずれか一項に記載の支持要素（２００、４００、５００、６００ａ、６００ｂ、６００ｃ、７００）。
【請求項１８】
前記支持要素（２００、４００、５００、６００ａ、６００ｂ、６００ｃ、７００）が、以下の材料、すなわち、ばね鋼、ポリオキシメチレン、ポリアミド、ガラス繊維の１つまたは複数を含む、請求項１〜１７のいずれか一項に記載の支持要素（２００、４００、５００、６００ａ、６００ｂ、６００ｃ、７００）。
【請求項１９】
請求項１〜１８のいずれか一項に記載の支持要素（２００、４００、５００、６００ａ、６００ｂ、６００ｃ、７００）を有するシューズ（５５０、６５０ａ、６５０ｂ、６５０ｃ、７５０、８００）、特にサッカーシューズまたはアメリカンフットボールシューズ、のためのソール（３００、５４０、６４０ａ、６４０ｂ、６４０ｃ、７４０）。
【請求項２０】
請求項１９に記載のソール（３００、５４０、６４０ａ、６４０ｂ、６４０ｃ、７４０）を有するシューズ（５５０、６５０ａ、６５０ｂ、６５０ｃ、７５０、８００）、特にサッカーシューズまたはアメリカンフットボールシューズ。
【発明の詳細な説明】
【技術分野】
【０００１】
本発明は、シューズ、特にサッカーシューズまたはアメリカンフットボールシューズ用支持要素、ならびに支持要素を有するソールおよびシューズに関する。
【背景技術】
【０００２】
最近、シューズは多くの異なる特性を備え、しばしば異なるシューズ部品から製造される。特定の種類のシューズおよび製造に使用される部品に応じて、これらの特性は異なる程度に対して顕著となり得る。
【０００３】
シューズソールは、例えば、主に保護機能を備える。さらに、アウトソールは通常、高い耐摩耗性によって、シューズのミッドソールを過度の摩耗から保護する。シューズソールは、例えばシューズが地面に接触する間に生じる力を緩和または吸収するためのクッション効果を有していてもよい。さらに、シューズソールは、泥または水しぶきから足を保護することができる。
【０００４】
シューズソールのさらなる機能は、より速い動きを容易にし、着用者が転ぶ危険性を最小限にするために、それぞれの地面に対するシューズのトラクションまたはグリップを高めることであり得る。
【０００５】
特に、例えば、サッカー、アメリカンフットボール、野球、またはバスケットボール等の球技の場合やランニングスポーツの場合にも、試合中またはラン中に、異なる強度範囲および歪み範囲における動きの間でしばしば変化がある。一方では、競技者が過度に大きな力を使う必要のない、より低い強度の動き、例えばランニング、トロッティング（trotting）、またはゆっくりとしたジョギング等が示唆される。もっとも、このような動きは、一般的に、長時間かけて行われる。しかしながら、他方では、高い動き強度の局面も、しばしば試合、例えばサッカーの試合、アメリカンフットボールの試合、野球の試合、またはバスケットボールの試合の一部、あるいは、例えば短距離走中、跳躍中、急な方向転換中、マウンテンランニング中等における、例えばクロスカントリーランまたはマウンテンラン等のランの一部である。一般的に、異なる強度範囲は、時には互いに大きく異なり得る特徴的な動きパターンも示唆する。
【０００６】
この背景を考えると、先行技術から知られるシューズの欠点は、これらのシューズが一般的に単一の適用分野のためのものであり、それぞれの特徴的な動きパターンに適応させたものであることである。
【発明の概要】
【発明が解決しようとする課題】
【０００７】
先行技術から、したがって、本発明の課題は、異なる強度範囲における動きの変化によって生じる、変化する必要に力学的に適応し得る支持要素、ソール、およびシューズを提供することである。
【課題を解決するための手段】
【０００８】
本発明の第１の態様によれば、この課題は、シューズ、特にサッカーシューズまたはアメリカンフットボールシューズ用支持要素により少なくとも部分的に解決され、支持要素は、閾値角度範囲までの曲げのない初期状態からの曲げに対する第１の曲げ剛性を有し、閾値角度範囲を超える曲げに対する第２の曲げ剛性を有し、第２の曲げ剛性が第１の曲げ剛性よりも大きくなるように設けられる。
【０００９】
例えばランニング、トロッティング、またはゆっくりとしたジョギング等のよりより低い強度の動きの場合、足指付け根関節とも呼ばれる中足指節関節（ＭＴＰ関節）の領域において、わずかなヒンジング（hinging）しか行われないという特徴がある。このような動きにとって、足のロールオフ（roll-off）をできるだけ自然に行うことが重要である。ソールによって吸収されることにより競技者から引き出されるエネルギーができるだけ少ないとさらに有利である。一般に、これらの強度範囲においては、快適で省エネルギーのランニング方法が最も重要であり、好ましくは自然な動きパターンが維持されると言える。これは、本発明の支持要素の実施形態が、動きの自然な流れにわずかにしか影響しないような、閾値角度範囲までの曲げのない初期状態からの曲げに対する第１の低い曲げ剛性を有することによって確実になる。
【００１０】
一方、高い動き強度の局面の場合、競技者が非常に大きい力、特に蹴出し力を短時間で地面に伝えなければならないという特徴がある。力が競技者から地面により良好に伝えられるほど、競技者はより速く走ることができ、または方向転換することができ、より高く跳躍すること等ができる。このような動きの場合、足がＭＴＰ関節で強くヒンジングされ、力の伝達が主に前足部を介して行われるという特徴がある。このヒンジングは、特に高速ランニングまたは短距離走中に、競技者の姿勢が前傾することによって、さらに強まる。力の伝達を確実にできるだけ大きくするために、足はこのような状況で作用する力に負けてはならない。そうでないと、力が「無駄になる」からである。
【００１１】
これは、競技者の筋肉、特に足の筋肉およびふくらはぎの筋肉によってＭＴＰ関節の領域における前述の角度が確実に維持されると共に、地面からの足の蹴出しを確実にできるだけ強くしなければならないことを意味する。これにより、それぞれの筋肉群に大きな負荷がかかる。したがって、競技者の支持筋肉を緩和し、足と地面との間のトラクションを向上させるためには、このような動き局面の場合に、強化された支持をソールが提供することが望ましい。これも、本発明の支持要素の実施形態によって容易になる。支持要素が、第１の曲げ剛性よりも大きい、閾値角度範囲を超える曲げに対する第２の曲げ剛性を有するため、前述したように蹴出し中に足を支持するからである。
【００１２】
前述した本発明の支持要素のいくつかの技術的理解および実施形態も想定され、そのうちのいくつかについて以下で説明する。しかしながら、すでにこの点で、本発明の支持要素を本明細書に明記した実施形態に限定することはできないことに言及する。
【００１３】
例えば、閾値角度範囲が１０°〜３０°にわたり、曲げ角度が曲げのない初期状態に対して測定されることが想定される。閾値角度範囲が１５°〜２５°、特に１８°〜２２°にわたることが特に想定される。
【００１４】
前述した意味における、より低い強度とより高い強度との動き間の移行は、一般的に、これらの角度範囲において、足領域、特にＭＴＰ関節の領域の屈曲角度について行われ、支持要素が、これらの角度範囲内で、第１の曲げ剛性を有する「軟局面」から、第２のより大きい曲げ剛性を有する「剛局面」へ移行すると有利であるようになっていることがわかった。
【００１５】
第２の曲げ剛性と第１の曲げ剛性との比が１．１：１〜４：１の範囲、特に１．２：１〜３：１、特に２：１〜２．４：１の範囲にあることがさらに想定される。
【００１６】
このような曲げ剛性の比は、一方における前述した望ましいロールオフおよびこのような支持要素によるシューズの支持機能を提供することと、他方におけるこのようなシューズの一般的な機能性および着用の快適性との最適な折り合いを表す。
【００１７】
閾値角度範囲において、支持要素の曲げ剛性の連続変化と段階的変化との両方が生じることがさらに想定される。この点についてのより詳細な説明を、本発明の実施形態の記述の文脈において以下で述べる。
【００１８】
閾値角度範囲および第１の曲げ剛性と第２の曲げ剛性との比を適切に選択することにより、支持要素の挙動をそれぞれの必要にさらに個々に適応させることができる。このような異なる必要について、さらに以下で、図１２ａ〜図１２ｂに関する詳細な説明においてより詳細に説明する。
【００１９】
この文脈で、第１の曲げ剛性および第２の曲げ剛性は各々、例えば、足のロールオフ方向に沿った支持要素の曲げ剛性を指す。支持要素が足の前半部、特にＭＴＰ関節の領域を支持するために設けられることがさらに想定される。
【００２０】
前述したように、ＭＴＰ関節のヒンジングは、競技者の動きの異なる強度範囲間の移行についての決定的な基準を表し、支持要素が、足のロールオフ方向に沿ってその曲げ剛性を調節することによって、ヒンジングの変化に反応することができ、足をこの領域において高い強度で支持することができるようになっている。
【００２１】
しかしながら、支持要素が他の領域、例えば中足領域または踵領域に支持効果を有すること、または曲げ剛性が別の好ましい方向、例えば内外方向（medial-lateral direction）に対する曲げ剛性を指すことも想定される。
【００２２】
支持要素が曲げシステムを備え、曲げシステムが、閾値角度範囲を超える曲げシステムの曲げに対して、追加の引張応力を曲げシステム内で発生させることより、曲げ剛性が増加するように設けられることが想定される。
【００２３】
閾値角度範囲を超える曲げに対して曲げシステムに作用する曲げモーメントは、例えば、曲げシステムに作用する追加の引張応力に変換され得る。曲げシステムの追加の引張応力は復元力を発生させ、この復元力は、曲げシステムのさらなる曲げに対抗することによって、閾値角度範囲を超える曲げに対する曲げシステムの曲げ剛性を増加させる。曲げシステムの材料を選択することにより、追加の引張応力またはこれにより達成された曲げ剛性の増加が影響され得る。
【００２４】
これに関し、曲げシステムの曲げの間に引張応力を発生させることによって及ぼされるエネルギーは、曲げ角度が再び減少するとすぐに、少なくとも部分的に再び戻ることがさらに想定される。これにより、競技者の動きをさらに容易にすることができる。
【００２５】
曲げシステムは、追加の引張応力を発生させるために、閾値角度範囲を超える曲げに対して互いに係合するように配置された、第１の曲げ要素および第２の曲げ要素を備えることがさらに可能である。
【００２６】
閾値角度範囲までの曲げに対して、第１の曲げ要素および第２の曲げ要素は互いに対して摺動することができ、または自由にもしくはほとんど制約されずに動くことができる。他方、閾値角度範囲を超える曲げに対して、第１の曲げ要素および第２の曲げ要素は互いに係合する。これにより、さらなる動きを防止または阻害して、第１の曲げ要素および／または第２の曲げ要素に引張応力を発生させる。そして、この引張応力は、前述したように曲げシステムの曲げ剛性を増加させることができる。
【００２７】
第１の曲げ要素は少なくとも１つの突起を備えることができ、この突起は、第２の曲げ要素の凹部に配置され、閾値角度範囲を超える曲げに対して凹部の縁部に圧力嵌めにより当接する。ここでは、突起は特に、閾値角度範囲までの曲げに対して凹部内で自由に動くことができる。
【００２８】
これは、簡単かつ同時に丈夫な構成を有するこのような本発明の曲げシステムの実施形態を表す。加えて、このような実施形態により、第１の曲げ剛性と第２の曲げ剛性との明らかに顕著な差を達成することが可能になる。
【００２９】
ここでは、第１の曲げ要素および第２の曲げ要素を２つの可撓性金属板として設けることが特に可能である。例えば、ばね鋼から作られた金属板が想定される。第１の曲げ要素および第２の曲げ要素は、プラスチック材料から製造されてもよく、または少なくともプラスチック材料を含んでもよい。金属と比べて、プラスチックは特に軽量で、製造が非常に安価となり得、プラスチックは、金属よりも曲げに対してより安定性があるものともなり得る。
【００３０】
金属板は、非常に薄く、希望に応じて可撓性に製造することができて、閾値角度範囲までの曲げに対する曲げ剛性を低く維持できるという利点を有する。同時に、金属板は非常に高い安定性および引張強度を有する。
【００３１】
一方で、第１の曲げ要素および第２の曲げ要素は、互いに隣接して、例えば、ミッドソール板またはインソール板の底側に配置されることが想定される。しかしながら、他方で、第１の曲げ要素および第２の曲げ要素が互いに重なり合って配置されることも想定される。
【００３２】
曲げシステムが第１の固定デバイスおよび第２の固定デバイスを備え、第１の固定デバイスは、第１の固定デバイスに対する曲げシステムの動きを防止するように配置され、第２の固定デバイスは、閾値角度範囲までの曲げに対して、第２の固定デバイスに対する曲げシステムの動きを可能にし、閾値角度範囲を超える曲げに対して動きを防止することにより、曲げシステム内に引張応力を発生させるように配置されることが想定される。
【００３３】
これは、閾値角度範囲を超える曲げに対して曲げシステムの曲げ剛性を増加させるさらなる可能性を表す。この設計可能性を前述した第１の曲げ要素および第２の曲げ要素と組み合わせて使用することが特に想定される。
【００３４】
第２の固定デバイスを曲げシステムの開口内に配置することができ、第２の固定デバイスが、閾値角度範囲までの曲げに対して開口内で基本的に自由に動くことができ、閾値角度範囲を超える曲げに対して開口の縁部によってさらなる動きが防止されるようになっている。例えば、曲げシステムの開口を細長孔として設けることが想定される。
【００３５】
本明細書で、基本的に自由な動きとは、構成によって避けることのできない小さい摩擦力のみが発生する動きを指す。
【００３６】
これは、特に簡単な構成を有する本発明の支持要素の実施形態を提供する可能性を表す。第１の固定デバイスおよび第２の固定デバイスは、例えば、曲げシステムを、例えばプラスチック、金属、発泡材料等から作られたインソール板に接続するリベットまたはねじであってよい。
【００３７】
曲げシステムが紐要素を備え、閾値角度範囲までの曲げに対して、紐要素が第１の引張応力を受け、閾値角度範囲を超える曲げに対して、紐要素が第１の引張応力よりも大きい第２の引張応力を受けることも想定される。
【００３８】
これも、簡単な構成を有し、加えて非常に省スペースで設けることのできる、本発明の支持要素の実施形態を提供する可能性を表す。さらに、紐の引張強度により、支持要素の曲げ剛性は簡単な方法で影響され得る。
【００３９】
ここで、第１の引張応力は例えばゼロである。すなわち、紐要素は最初に、応力なしで曲げシステムに配置される。支持要素または曲げシステムのそれぞれの閾値角度範囲を超える曲げに対してのみ、紐要素が引張応力を受け、これにより曲げシステムの曲げ剛性が増加する。したがって、閾値角度範囲を超える曲げに対する曲げシステムの曲げ剛性は、紐要素の材料パラメータを直接、特に容易な方法で適切に選択することによって影響され得る。
【００４０】
さらなる実施形態では、支持要素が曲げシステムを備え、曲げシステムは、閾値角度範囲を超える曲げに対して、追加の圧縮応力が曲げシステム内に発生することにより、曲げ剛性が増加するように設けられる。
【００４１】
ここでは次に、圧縮応力が、閾値角度範囲を超える曲げに対する復元力として、曲げシステムのさらなる曲げに対抗することにより、このような曲げに対する曲げシステムの曲げ剛性を増加させる。
【００４２】
この文脈で、曲げシステムを曲げるときに圧縮応力を発生させることによって及ぼされるエネルギーが、曲げ角度が再び減少するとすぐに少なくとも部分的に戻ることも想定される。これにより、動きが有利な方法でさらに容易になる。
【００４３】
曲げシステムが第１の圧力要素および第２の圧力要素を備え、第１の圧力要素および第２の圧力要素が、追加の圧縮応力を発生させるために、閾値角度範囲を超える曲げに対して互いに押し付けられるように配置されることが想定される。
【００４４】
このような支持要素は、例えばシューズソールに使用することができる。しかしながら、このような支持要素がシューズアッパー、例えばインステップまたはタン等の領域に配置されることも想定される。
【００４５】
これまで述べた閾値角度範囲は、例えば第１の閾値角度範囲であってよく、支持要素が、第２の閾値角度範囲を超える曲げに対して第２の曲げ剛性よりも大きい第３の曲げ剛性を有するようにさらに設けられ、初期状態に対して測定された第２の閾値角度範囲が第１の閾値角度範囲よりも大きい角度にわたって延びていてもよい。
【００４６】
これにより、支持要素の曲げ剛性を、いくつかの「剛性段階」における異なる負荷、着用者の動き局面および動きパターンに、さらに詳細かつ選択的に調節することが可能になる。
【００４７】
支持要素は、以下の材料、すなわち金属、プラスチック、特にばね鋼、ポリオキシメチレン、ポリアミド、ガラス繊維の１つまたは複数を含むことが可能である。
【００４８】
前述したように、ばね鋼は、非常に薄く、希望に応じて可撓性に設けることができ、それにもかかわらず高い安定性および引張強度を有するという利点を持つ。説明した他の材料も、本発明の支持要素の実施形態を提供するための独自の有利な特性、例えば軽量、作業性の良さ等を有する。
【００４９】
本発明のさらなる態様は、本発明の支持要素を有するシューズ、特にサッカーシューズまたはアメリカンフットボールシューズ用ソールによって提供される。
【００５０】
しかしながら、前述したように、本発明の支持要素をシューズアッパーに関連して使用することも想定される。
【００５１】
本発明は、このようなソールもしくはこのようなシューズアッパーを有するシューズ、特にサッカーシューズまたはアメリカンフットボールシューズをさらに含む。
【００５２】
本発明のソール、本発明のシューズアッパー、および本発明のシューズの実施形態について、本明細書で開示された本発明の支持要素の特性および設計オプションのいくつかを、存在する特定の必要に応じて互いに組み合わせることができる。また、個々の態様は、意図した使用にとって重要ではないと考えられる限り、結果として得られる実施形態が本発明の一部でなくなることなく、無視することができる。
【００５３】
以下の詳細な説明において、以下の図面を参照しながら、本発明の一部の想定される例および実施形態についてより詳細に説明する。
【図面の簡単な説明】
【００５４】
【図１ａ】本明細書で使用されるパラメータの意味を示す図である。
【図１ｂ】本明細書で使用されるパラメータの意味を示す図である。
【図１ｃ】本明細書で使用されるパラメータの意味を示す図である。
【図２ａ】曲げシステムを有する本発明の支持要素の実施形態の図である。
【図２ｂ】曲げシステムを有する本発明の支持要素の実施形態の図である。
【図２ｃ】曲げシステムを有する本発明の支持要素の実施形態の図である。
【図２ｄ】曲げシステムを有する本発明の支持要素の実施形態の図である。
【図２ｅ】曲げシステムを有する本発明の支持要素の実施形態の図である。
【図３ａ】サッカーシューズ用の本発明のソールの実施形態の図である。
【図３ｂ】サッカーシューズ用の本発明のソールの実施形態の図である。
【図４ａ】本発明の支持要素のさらなる実施形態および曲げ剛性の測定結果の図である。
【図４ｂ】本発明の支持要素のさらなる実施形態および曲げ剛性の測定結果の図である。
【図４ｃ】本発明の支持要素のさらなる実施形態および曲げ剛性の測定結果の図である。
【図４ｄ】本発明の支持要素のさらなる実施形態および曲げ剛性の測定結果の図である。
【図４ｅ】本発明の支持要素のさらなる実施形態および曲げ剛性の測定結果の図である。
【図４ｆ】本発明の支持要素のさらなる実施形態および曲げ剛性の測定結果の図である。
【図５】本発明の支持要素の実施形態、およびこのような支持要素を有する本発明のサッカーシューズの図である。
【図６ａ】各々紐要素を備える本発明の支持要素の実施形態、および各々このような支持要素を有する本発明のサッカーシューズの実施形態の図である。
【図６ｂ】各々紐要素を備える本発明の支持要素の実施形態、および各々このような支持要素を有する本発明のサッカーシューズの実施形態の図である。
【図６ｃ】各々紐要素を備える本発明の支持要素の実施形態、および各々このような支持要素を有する本発明のサッカーシューズの実施形態の図である。
【図７】複数の圧力要素を備える本発明の支持要素、およびこのような支持要素を有するサッカーシューズの実施形態の図である。
【図８】シューズアッパー上に本発明の支持要素の実施形態を備える、さらなる本発明のサッカーシューズの実施形態の図である。
【図９】図２ａ〜図２ｅに示す本発明の曲げシステムの実施形態のさらなる変形形態の図である。
【図１０】図２ａ〜図２ｅに示す本発明の曲げシステムの実施形態のさらなる変形形態の図である。
【図１１】図２ａ〜図２ｅに示す本発明の曲げシステムの実施形態のさらなる変形形態の図である。
【図１２ａ】異なる動きパターン中の前足領域のヒンジング、および結果として生じる損傷の危険性を示す図である。
【図１２ｂ】異なる動きパターン中の前足領域のヒンジング、および結果として生じる損傷の危険性を示す図である。
【発明を実施するための形態】
【００５５】
以下の詳細な説明において、本発明の一部の可能な実施形態について、スポーツシューズ、特にサッカーシューズおよびアメリカンフットボールシューズに関連して説明する。しかしながら、本発明はこれらの実施形態に限定されないことを強調する。それどころか、本発明は、例えば、野球シューズ、バスケットボールシューズ、またはランニングシューズ、および作業シューズ、レジャーシューズ、トレッキングシューズ、ゴルフシューズ、および様々な種類のシューズにも有利に適用可能である。
【００５６】
図１ａ〜図１ｃは、本明細書で使用される用語およびパラメータを明確にする。図１ａは、一端部１１０が固定して締め付けられた可撓性部品１００を示す。部品１００は長さＬを有する。力Ｆは、部品１００の自由端１２０に作用すると、曲げモーメントを発生させ、これによって部品１００の曲げが生じて、自由端１２０が距離ｓだけ変位する。変位ｓの測定の基準点は、図１ａにおいて破線１３０で示される無力状態における部品１００の位置である。部品１００の曲げ角度として、例えば部品１００の一端部１１０に対する接線１４０と部品１００の他端部１２０に対する接線１４５との交差の角度によって与えられる角度αが理解され得る。当業者が理解するように、部品１００の所与の長さＬについて、変位ｓと曲げ角度αとが同義に使用され得るような、曲げ角度αと変位ｓとの固有の関係がある。一連の測定から判定され得るαとｓとの正確な関係が必要である。変位ｓまたは曲げ角度αはそれぞれ、作用力Ｆに応じて決まる。この依存性は、部品１００の曲げ剛性によって影響される。以下で、図１ｃを参照しながら、曲げ剛性のさらに詳細な定義について述べる。
【００５７】
図１ｂは、部品１００が破線１３０で示される無力状態にすでにある曲率α０を有し、この曲率が、上記の場合と同様に、無力状態１３０における部品１００の第１の端部１１０に対する接線１５０と無力状態１３０における部品１００の第２の端部１２０に対する接線１５５との交差角度によって与えられる場合を示す。今度は端部１２０に力が作用し、これにより部品１００の曲げが生じて、接線１４０、１４５間の角度α１をもたらす。このような場合、負荷状態および無負荷状態における接線の交差の２つの角度間の差は、曲げ角度α：α＝α１−α０として理解され得る。
【００５８】
図１ａ〜図１ｂが本明細書で使用されるパラメータの意味を明確にする目的を果たすに過ぎないことは、当業者に完全に明らかである。当然、本発明の支持要素の実施形態について、意図した使用中、図１ａ〜図１ｂに示すように、一端部が壁または万力等の固着デバイスに固定して締め付けられることはない。しかしながら、このような配置は、本発明の支持要素の実施形態についての測定を行うためにも使用可能な、関連するパラメータおよび特性を測定するための例示的な可能性を表す。
【００５９】
図１ｃは、可撓性部品１００で行われるこのような測定によって得られる仮定の測定曲線を示す。ｘ軸には、力Ｆが部品１００に作用することによって生じる、部品１００の端部１２０の変位ｓがプロットされる。この力Ｆはｙ軸にプロットされる。前述したように、所与の部品について、ｘ値が曲げ角度αの測定値も表すような、変位ｓと曲げ角度αとの固有の関係がある。
【００６０】
曲げ剛性は、今度は、所定の曲げ角度、例えば０．１°または１°等の部品のさらなる曲げを達成するためにどのような力が必要であるかについての測定値となり得る。これに必要な力は、場合により、すでに部品にある曲げの程度によって決まり得る。したがって、本明細書の文脈で、「示差的（differential）」曲げ剛性が好ましくは示唆される。より正確には、これは、曲げ剛性が、好ましくは、所与の状態Ｐ１（ｓ１、Ｆ１）における部品１００の変位−力−曲線上の接線の傾斜ΔＦ／Δｓを指し、例えば、絶対値Ｆ１／ｓ１の比を指すのではないことを意味する。
【００６１】
図２ａ〜図２ｅは、本発明の支持要素２００の想定される実施形態を示す。支持要素２００は、閾値角度範囲までの曲げのない初期状態からの曲げに対する第１の曲げ剛性を有し、閾値角度範囲を超える曲げに対する、第１の曲げ剛性よりも大きい第２の曲げ剛性を有するように設けられる。図２ａ〜図２ｅに示す実施形態では、第１の曲げ剛性および第２の曲げ剛性は各々、支持要素２００の長手方向、すなわち足のロールオフ方向の曲げ剛性を指す。支持要素２００は曲げシステム２０５を備える。ここに示す実施形態では、支持要素２００は、曲げシステム２０５が上に配置されるインソール板２５０をさらに備える。さらに、本発明の支持要素２００の本実施形態では、支持要素２００が足の前半部、特にＭＴＰ関節の領域を支持するように設けられる形で、曲げシステム２０５がインソール板２５０上に配置される。これは、例えば、着用者の損傷を防ぐため、ならびに、パフォーマンスおよび持久力をさらに向上させるために、特にスポーツシューズで有利となり得る。
【００６２】
前述したように、例えばランニング、トロッティング、またはゆっくりとしたジョギング等のより低い強度の動きの場合、足指付け根関節とも呼ばれるＭＴＰ関節の領域で、わずかなヒンジングしか行われないという特徴がある。このような動きにとって、足のロールオフをできるだけ自然に行えることが重要である。
【００６３】
他方、高い動き強度の局面の場合、競技者が非常に大きい力、特に蹴出し力を短時間で地面に伝えなければならないという特徴がある。力が競技者から地面により良好に伝えられるほど、競技者はより速く走ることができ、または方向転換することができ、より高く跳躍すること等ができる。このような動きの場合、足がＭＴＰ関節で強くヒンジングされ、力の伝達が主に前足部を介して行われるという特徴がある。力の伝達を確実にできるだけ大きくするために、足は作用する力に負けてはいけない。そうでないと、これらの力が「無駄になる」からである。これは、競技者の筋肉、特に足の筋肉およびふくらはぎの筋肉によって、ＭＴＰ関節の領域における前述の角度が確実に維持されると共に、地面からの足の蹴出しを確実にできるだけ強くしなければならないことを意味する。これにより、それぞれの筋肉群に大きな負荷がかかる。
【００６４】
例えば、図１２ａ〜図１２ｂには、あるスポーツ活動に特徴的な２つの異なる状況／動きパターンのスナップショットが示される。
【００６５】
図１２ａは、例えばアメリカンフットボールの試合中に起こり得るような高い強度の状況を示す。図の右側に示す選手は、強いヒンジングと、これによるＭＴＰ関節への非常に高い負荷とが生じるように、自分の右足で自分を支えている（１２００参照）。ここに示す例では、角度が、競技者の深く「しゃがんだ位置」によって生じる約９０°に達する。これは、ＭＴＰ関節および足の骨および腱が損傷する可能性が高いことを示唆する。本発明の支持要素の実施形態では、閾値角度範囲、例えば、６０°〜９０°または６０°〜７５°等の範囲の適切な選択により、このような状況において選手の足が確実に追加の支持を得られるようになり得、作用する力が競技者の筋骨格系のみによって吸収されてはならないようになっている。さらに、例えば９０°を超えるヒンジングを防止または少なくとも妨害することができる。このために、閾値角度範囲を超える曲げに対する第２の曲げ剛性は、例えば、第１の曲げ剛性よりもかなり大きくなるように選択され得る。これにより、損傷の危険を大きく減らすことができる。
【００６６】
他方で、図１２ｂは、ランニング中の競技者の足を示す。ＭＴＰ関節の領域の角度（１２５０参照）が図１２ａよりもかなり小さいことが明らかに想定される。図１２ｂでは、角度が約４０°に達する。動きのサイクル中にこのヒンジング角度が最大でどれくらい大きくなるかが、例えば走者の速度によって決まることを当業者は理解するだろう。ランニングまたはゆっくりとしたウォーキングの場合、角度が例えば２０°または３０°より大きくならなくてよい。より速くランニングすると、ここに示すように、角度は例えば４０°以上に達し得る。閾値角度範囲を適切に選択することにより、本発明の支持要素の実施形態の曲げ剛性は、一方では特定の種類のスポーツにおける主な条件および動きパターンに個々に調節させて、足をできるだけ良好に支持して損傷を防ぐことができる。他方では、第１の曲げ剛性および第２の曲げ剛性ならびに／または閾値角度範囲の選択は、動きの自然経過の妨害ができるだけ少なく、さらに自然経過が積極的に助長されるように行われ得る。
【００６７】
インソール板２５０は、例えばプラスチック材料から作ることができる。さらに、インソール板２５０は、一般的に、支持要素２００の曲げ角度から大きく独立した曲げ剛性を有する。インソール板２５０は、例えば、このようなインソール板２５０の製造に特に良好に適した以下の材料、すなわち、ＨＥＲ  ＣＨＡＮＧ  ＴＥＣＨＮＯＬＯＧＹ  ＣＯ．，ＬＴＤから入手可能なＶＥＳＴＡＭＩＤ（登録商標）ＬＸ９０１２、ばね鋼３０１０．５ＨまたはＷＮｒ．１．４３１０（Ｘ１０ＣｒＮｉ１８−８）［＝ＡＩＳＩ標準による３０１０．５Ｈ］の１つまたは複数を含む。
【００６８】
しかしながら、インソール板２５０は、必ずしも本発明の支持要素のすべての実施形態の一部ではないことに注目されたい。それどころか、曲げシステム２０５は、インソール板２５０のない本発明の支持要素またはソールまたはシューズの実施形態でも使用可能である。曲げシステム２０５は、例えば、ミッドソール層またはアウトソール層等に直接配置することができる。
【００６９】
曲げシステム２０５は、閾値角度範囲を超える曲げに対して追加の引張応力を曲げシステム２０５内に発生させることにより、曲げ剛性が増加するように設けられる。ここに示す実施形態では、この追加の引張応力が２つの異なる方法で発生する。
【００７０】
一方で、曲げシステム２０５は、第１の曲げ要素２１０および第２の曲げ要素２２０を備える。ここに示す曲げシステム２０５の実施形態では、第１の曲げ要素２１０および第２の曲げ要素２２０は２つの可撓性金属板として設けられる。しかしながら、支持要素２００および特に曲げ要素２１０、２２０が、プラスチック材料、例えばポリオキシメチレンまたはポリアミド、および／またはガラス繊維等の１つまたは複数の異なる材料を含む異なる設計も想定される。
【００７１】
第１の曲げ要素２１０および第２の曲げ要素２２０は、追加の引張応力を発生させるために、閾値角度範囲を超える曲げに対して互いに係合するように配置される。図２ａ〜図２ｅに示す曲げシステム２０５の実施形態では、これが起こる方法は、第１の曲げ要素２１０が少なくとも１つの突起２１５を備え、この突起２１５が、第２の曲げ要素２２０の凹部２２６内に配置され、閾値角度範囲を超える曲げに対して凹部２２６の縁部に圧力嵌めにより少なくとも部分的に当接することである。２つの曲げ要素が「拘束される（lock up）」この状況は、図２ｃおよび図２ｅに特に明確に示される。
【００７２】
ここに示すように、第２の曲げ要素２２０も少なくとも１つのこのような突起２２５を備え、この突起２２５は第１の曲げ要素２１０の凹部２１６に配置され、閾値角度範囲を超える曲げに対して、第１の曲げ要素２１０の凹部２１６の縁部に圧力嵌めにより少なくとも部分的に当接することも想定される。図２ａ〜図２ｅに示す曲げシステム２０５の実施形態の特定の利点は以下の通りである。突起２１５が凹部２１６内へ直接移行し、凹部２２６も突起２２５内へ直接移行し、選択された配置により、第１の曲げ要素２１０および第２の曲げ要素２２０が特に強く「連動」して、閾値角度範囲を超える曲げに対して、２つの曲げ要素２１０、２２０間で特に良好な力の伝達が可能になる（図２ｃおよび図２ｅ参照）。
【００７３】
他方、曲げシステム２０５は、第１の固定デバイス２１１、２２１および第２の固定デバイス２１２、２２２を備え、第１の固定デバイス２１１、２２１は、第１の固定デバイス２１１、２２１に対する曲げシステム２０５の動きを防止するように配置され、第２の固定デバイス２１２、２２２は、閾値角度範囲までの曲げに対して、第２の固定デバイス２１２、２２２に対する曲げシステム２０５の動きを可能にし、閾値角度範囲を超える曲げに対して動きを防止することにより、曲げシステム２０５内に引張応力を発生させるように配置される。
【００７４】
図２ｂ〜図２ｅに示すように、第２の固定デバイス２１２、２２２は、閾値角度範囲までの曲げに対して、基本的に自由に、すなわち構成によって避けることのできない小さい摩擦力まで、開口２１８、２２８内で動けるように、かつ閾値角度範囲を超える曲げに対してさらなる動きが開口２１８、２２８の縁部によって防止されるように、曲げシステム２０５の開口２１８、２２８に配置されることが可能である。さらなる動きが防止されることにより、曲げシステム２０５内に引張応力を発生させるこの状況は、図２ｃおよび図２ｅに特に明確に示される。ここに示すように、開口２１８、２２８が細長孔として設けられる場合に、特に簡単な構成が得られる。しかしながら、長円形の開口または直線もしくは曲線状の溝等も想定される。第１の固定デバイス２１１、２２１および／または第２の固定デバイス２１２、２２２として、特に、例えばプラスチックおよび／または金属から作ることのできる１つまたは複数のねじおよび／またはリベットが考えられる。しかしながら、例えばプラスチックから作られた異なる固定デバイスも想定される。
【００７５】
図２ａ〜図２ｅに示す曲げシステム２０５を有する支持要素２００の実施形態では、第１の曲げ要素２１０が、外側の中足領域から前足領域に配置され、第２の曲げ要素２２０が内側の中足領域から前足領域に配置される。
【００７６】
第１の固定デバイス２１１は、中足部に面する第１の曲げ要素２１０の側部に二重リベットを備える。第２の固定デバイス２１２は、第１の曲げ要素２１０の中央にリベットを備えると共に、足のつま先に面した第１の曲げ要素２１０の側部に二重リベットを備える。
【００７７】
第１の固定デバイス２２１は、足のつま先に面した第２の曲げ要素２２０の側部に二重リベットを備える。第２の固定デバイス２２２は、第２の曲げ要素２２０の中央にリベットを備えると共に、中足部に面した第２の曲げ要素２２０の側部に二重リベットを備える。
【００７８】
例えば２つの曲げ要素２１０、２２０の中央の単一のリベットを省略してもよく、複数のリベットをこの位置に配置してもよく、図示した二重リベットの代わりに、１つのみのリベットまたは２つ以上のリベットをそれぞれの位置に配置してもよいことを参照する。一般に、曲げシステム２０５および支持要素２００の所望の特性を達成できるように、第１の固定デバイス２１１、２２１および／または第２の固定デバイス２１２、２２２の配置および数が変更され得る可能性があることを当業者は理解するだろう。
【００７９】
可能な変形形態が、例えば図９に示される。そこに示す曲げシステム９０５の実施形態は、曲げシステム２０５の実施形態と同様である。これに関し、曲げシステム２０５についての説明を参照する。曲げシステム９０５は、第１の曲げ要素９１０および第２の曲げ要素９２０を特に備え、これらの曲げ要素は各々突起９１５、９２５および対応する凹部９１６、９２６を備える。
【００８０】
曲げシステム９０５は、主に、第１の固定デバイス９１１、９２１および第２の固定デバイス９１２、９２２の配置が異なる。図２ａ〜図２ｅに示す曲げシステム２０５の実施形態とは対照的に、第１の固定デバイス９１１は、足のつま先に面した第１の曲げ要素９１０の側部に二重リベットを備える。第２の固定デバイス９１２は、第１の曲げ要素９１０の中央にリベットを備えると共に、中足部に面した第１の曲げ要素９１０の側部に二重リベットを備える。
【００８１】
第１の固定デバイス９２１は、中足部に面した第２の曲げ要素９２０の側部に二重リベットを備える。第２の固定デバイス９２２は、第２の曲げ要素９２０の中央にリベットを備えると共に、足のつま先に面した第２の曲げ要素９２０の側部に二重リベットを備える。
【００８２】
この点で、第１の固定デバイスおよび第２の固定デバイスを有する前述した機構は、各曲げ要素２１０、２２０または９１０、９２０のそれぞれについて個々に有効であることがさらに特に強調される。したがって、この原理に基づく曲げシステム（図示せず）は、例えば、前述したように、第１の固定デバイス２１１および第２の固定デバイス２１２を有する第１の曲げ要素２１０のみを備えることが想定される
【００８３】
曲げシステムは、例えば金属板またはプラスチック板の形状の、例えば単一の曲げ要素を備えることができる。曲げシステムは、曲げ要素をソールに固定して接続する、例えばリベット留めまたはねじ留めする第１の固定デバイスをさらに備えることができる。曲げシステムは、曲げ要素の細長孔または何らかの他の開口内に配置された第２の固定デバイス、例えばリベットまたはねじを備えることができる。第２の固定デバイスにより、曲げシステムは、閾値角度範囲までの曲げに対して、基本的に自由に、すなわち構成によって避けることのできない小さい摩擦力まで、細長孔または開口内で動くことができる。閾値角度範囲を超える曲げに対して、曲げシステムのさらなる動きが、細長孔または開口の縁部によって防止される。第１の固定デバイスをソールの前足領域に配置することができ、第２の固定デバイスを中足領域に配置することができ、または逆も可能である。
【００８４】
ここで、曲げシステムを有する本発明の支持要素の実施形態が、前述した引張応力を増加させるための２つの機構の一方のみを使用できることを再び明確に参照する。これに関し、本発明の曲げシステム１００５、１１０５の実施形態の部分を示す、図２ｄおよび図２ｅと同様の図１０および図１１を参照する。
【００８５】
図１０に示す本発明の曲げシステム１００５の実施形態は、少なくとも１つの突起１０１５、１０２５を各々備える第１の曲げ要素１０１０および第２の曲げ要素１０２０を備え、これらの突起１０１５、１０２５は、閾値角度範囲を超える曲げに対して、少なくとも１つの対応する凹部１０１６、１０２６のそれぞれにより拘束されて（図１０の右半部参照）、追加の引張応力を発生させることにより、曲げシステム１００５内の曲げ剛性を増加させる。第１の曲げ要素１０１０および第２の曲げ要素１０２０は、例えば、適切な位置（図示せず）で、ソール、ソール板等に固定して接続される。これに関するさらなる詳細について、本明細書に記載した他の実施形態、特に支持要素２００に関する説明を参照する。
【００８６】
図１１に示す本発明の曲げシステム１１０５の実施形態も、第１の曲げ要素１１１０および第２の曲げ要素１１２０を備える。第１の曲げ要素１１１０および第２の曲げ要素１１２０も、例えば、対応する第１の固定デバイス（図示せず）によって、ソール、ソール板等に固定して接続される（図１０に関する説明を参照）。しかしながら、ここでは、第１の曲げ要素１１１０および第２の曲げ要素１１２０が各々、第１の曲げ要素１１１０または第２の曲げ要素１１２０のそれぞれの対応する細長孔１１１８、１１２８内に配置された少なくとも１つの第２の固定デバイス１１１２、１１２２を備え、曲げシステム１１０５が、閾値角度範囲までの曲げに対して、基本的に自由に、すなわち構成によって避けることのできない小さい摩擦力まで、細長孔内で動くことができるようになっている。閾値角度範囲を超える曲げに対して、曲げシステム１１０５のさらなる動きが細長孔の縁部によって防止される。
【００８７】
所望の特性を有する支持要素を提供するために、引張応力を増加させるための前述した機構を組み合わせ、適切な方法で変更してもよいことが当業者には明らかである。
【００８８】
本発明の支持要素を提供するために、曲げシステム９０５、１００５、または１１０５を、例えば支持要素２００または４００（支持要素４００に関する、以下参照）の曲げシステム２０５または４０５の代わりに用いることができる。
【００８９】
ここで、図２ｂ〜図２ｅ、図９、図１０、および図１１は２つの前述の機構を示す目的を主に果たすものであり、必ずしも実際の比率をすべて詳細に示すものではないことがさらに指摘される。
【００９０】
ここで説明した曲げシステム２０５、９０５、１００５、１１０５は、インソール板２５０の使用と結びつけられていないことに再び言及する。例えば、第１の固定デバイス２１１、２２１は、例えば、ミッドソールおよび／またはアウトソールにそれぞれの位置でしっかりと結合され、またはそれらの材料に埋め込まれた第１の曲げ要素２１０および／または第２の曲げ要素２２０に置き換えてもよい。前述したように、曲げシステム９０５、１００５、１１０５の実施形態についても同じことが当てはまる。
【００９１】
ここで説明した曲げシステム２０５（または曲げシステム９０５、１００５、１１０５）を有する支持要素２００の実施形態では、閾値角度範囲の位置は主に、中立の無力状態で、
ａ）第１の曲げ要素２１０および第２の曲げ要素２２０の係合突起２１５、２２５と凹部２１６、２２６との間、ならびに
ｂ）第２の固定デバイス２１２、２２２と、閾値角度範囲を超える曲げに対する曲げシステムのさらなる動きを防止する、曲げシステム２０５の対応する開口２１８、２２８の縁部との間に「間隙」がどれだけあるか（すなわち、距離がどのくらい大きいか）に応じて決まる。
【００９２】
この間隙は、初期状態に対して測定された閾値角度範囲（図１ｂについての説明を参照）が、１０°〜３０°、特に１５°〜２５°、特に１８°〜２２°の角度で位置するように選択され得る。これを達成するために、前述の間隙は、例えば、約１ｍｍであってよい。特に支持要素２００の長さおよびソールまたはシューズ内におけるその後の位置がわかっている場合に、必要な間隙の量は、原理上、形状を考慮して引き出せることを当業者は理解するだろう。
【００９３】
ａ）およびｂ）で前述した距離を、両方の機構が同一の閾値角度範囲で「拘束される」ように選択することが特に可能である。
【００９４】
しかしながら、２つの機構が異なる閾値角度範囲内で拘束されることにより、支持要素２００の曲げ剛性を段階的に増加させるように、それぞれの距離が選択されることも想定される。例えば、ｂ）で述べた距離を、ａ）で述べた距離よりも大きく、例えば２倍の大きさで選択することができる（またはその逆も可能である。以下参照）。その後、突起２１５、２２５および凹部２１６、２２６は、第１の閾値角度範囲を超える曲げに対して最初に拘束され、第２の固定デバイス２１２、２２２に対する曲げシステム２０５の動きは、第２の固定デバイス２１２、２２２が開口２１８、２２８の縁部にまだ「当接」していないため、依然として可能である。これにより、第１の追加の引張応力が発生して、曲げ剛性を最初に増加させる。第２の閾値角度範囲を超えるさらなる曲げにより、第２の固定デバイス２１２、２２２も開口２１８、２２８により拘束されるため、第１の追加の引張応力を追加する、追加の第２の引張応力を曲げシステム２０５内に発生させる。これにより、曲げ剛性がさらに増加し、したがって「２段階」で増加する。これにより、曲げシステム２０５の耐久性を向上させることができる。
【００９５】
曲げシステム２０５の耐久性に関し、固定デバイス２１１、２１２、２２１、２２２は、曲げ要素２１０、２２０が互いに重なって摺動すること、および場合により押しつぶされることを防止する目的も果たすことができると一般に言われる。
【００９６】
ここで説明した実施形態では、これまで述べた閾値角度範囲は、したがって、第１の閾値角度範囲に対応し、支持要素２００が得られ、支持要素２００は、第１の閾値角度範囲までの曲げのない初期状態からの曲げに対する第１の曲げ剛性を有し、第１の閾値角度範囲を超える曲げに対する第２の曲げ剛性を有し、第２の曲げ剛性が第１の曲げ剛性よりも大きくなるように設けられる。本実施形態では、支持要素がさらに設けられ、支持要素は、第２の閾値角度範囲を超える曲げに対して、第２の曲げ剛性よりも大きい第３の曲げ剛性を有し、初期状態に対して測定された第２の閾値角度範囲が、第１の閾値角度範囲よりも大きい角度にわたって延びるようになっている。
【００９７】
さらに想定される実施形態では、比率が逆にされ、すなわちａ）で述べた第１の曲げ要素２１０および第２の曲げ要素２２０の係合突起２１５、２２５と凹部２１６、２２６との間の距離が、ｂ）で述べた第２の固定デバイス２１２、２２２と曲げシステム２０５の対応する開口２１８、２２８の縁部との間の距離よりも大きい。ここで、ａ）で述べた距離が例えば約１．２ｍｍであってよく、ｂ）で述べた距離が例えば約１ｍｍであってよい。
【００９８】
そして、本実施形態では、固定デバイス２１２、２２２は、突起２１５、２２５が凹部２１６、２２６により拘束される前に開口２１８、２２８の縁部によって拘束される。これは、曲げ要素２１０、２２０が互いに重なって摺動すること、および場合により押しつぶされることが特に良好に防止され得るという利点をもたらす。これにより、曲げシステム２０５の耐久性をさらに向上させることができる。
【００９９】
第１の曲げ剛性と第２の曲げ剛性との比は、特に、閾値角度範囲を超える曲げに対して曲げシステム２０５内で発生する追加の引張応力がどれだけ大きいかによって決まる。この比は、とりわけ、曲げシステム２０５の材料、その長さ、厚さ等によって決まる。第２の曲げ剛性と第１の曲げ剛性との比の値として、１．１：１〜４：１、特に１．２：１〜３：１、特に２：１〜２．４：１が可能である。これらの値は、所望のロールオフを得るのに適切であり、最初に述べた特性を支持することがわかっている。
【０１００】
図３ａ、図３ｂは、サッカーシューズ用の本発明のソール３００のさらなる実施形態を示す。ソール３００は支持要素を備え、支持要素は、図３ａ、図３ｂの場合、インソール板２５０および曲げシステム２０５を備える前述の支持要素２００である。しかしながら、本発明の支持要素の異なる実施形態をここで用いてもよい。ソール３００は、アウトソール３４０をさらに備える。アウトソールは、いくつかのクリート要素３４２を備える。クリート要素は、場合によって、アウトソール３４０の残りの部分と一体部品として設けられてもよい。これにより、アウトソール３４０の特に高い安定性が得られる。さらに、アウトソール３４０は、場合によって、透明窓３４５を備える。この窓により、ソールの「内部動作」および支持要素２００の構造を外側から見ることができる。しかしながら、窓は必ずしも透明である必要はなく、半透明でもよく、および／またはデクラレーションホイル（declaration foil）等を備えていてもよい。加えて、窓は本発明のソールの実施形態の必須部分ではない。本発明のソールの実施形態が空洞のみを備え、この空洞が、例えばソールの内部動作、特に本発明の支持要素または曲げシステムの実施形態のための空間をもたらすことも可能である。
【０１０１】
図４ａ〜図４ｄは、本発明の支持要素４００の想定されるさらなる実施形態を示す。支持要素２００に関してなされた説明が、図４ａ〜図４ｄに示す支持要素４００にも同様に当てはまる。支持要素２００、４００間の違いは、まず初めに、第１の曲げ要素２１０、４１０および第２の曲げ要素２２０、４２０の形状および配置、突起２１５および２２５、４１５および４２５、凹部２１６および２２６、４１６および４２６の形状、ならびに第１の固定デバイス２１１および２２１、４１１および４２１、第２の固定デバイス２１２および２２２、４１２および４２２の配置にある。
【０１０２】
図４ａ〜図４ｂでは支持要素４００が中立の無力状態で示されるが、図４ｃ、図４ｄは、閾値角度範囲を超える曲げを受けた支持要素４００を示す。
【０１０３】
図４ａは、支持要素４００を全体として示す。支持要素４００は、インソール板４５０および曲げシステム４０５を備える。支持要素４００は、特に、足の前半部を前述した本発明の方法で支持するように設けられる。インソール板４５０は、ここに示す実施形態では空洞４９０を備える。この空洞は、例えば、電子部品等を受ける目的を果たすことができる。しかしながら、このような空洞４９０はオプションの特徴に過ぎず、本発明の支持要素またはソールの実施形態の必須部分ではないことをここで述べる。
【０１０４】
図４ｂは、曲げシステム４０５を含む支持要素４００の前半部の拡大図である。曲げシステム４０５は、第１の曲げ要素４１０および第２の曲げ要素４２０を備える。ここに示す実施形態では、２つの曲げ要素４１０、４２０は、例えば０．３ｍｍ〜０．７ｍｍ、例えば０．５ｍｍの厚さを有するばね鋼板から製造される。しかしながら、曲げ要素４１０および／または４２０は異なる材料を含んでもよく、または異なる材料、例えばプラスチック材料から作られてもよいことに注目されたい。図４ｃおよび図４ｄに示すように、第１の曲げ要素４１０は突起４１５をさらに備え、この突起４１５は、第２の曲げ要素４２０の凹部４２６に各々配置され、閾値角度範囲を超える曲げに対して、それぞれの凹部４２６の縁部に圧力嵌めにより少なくとも部分的に当接する。同様に、第２の曲げ要素４２０は突起４２５を備え、この突起４２５は、第１の曲げ要素４１０の凹部４１６に配置され、閾値角度範囲を超える曲げに対して、それぞれの凹部４１６の縁部に圧力嵌めにより少なくとも部分的に当接する。これにより、閾値角度範囲を超える曲げに対して、曲げシステム４０５に追加の引張応力が発生し、曲げシステム４０５、およびしたがって支持要素４００の曲げ剛性を増加させる（図４ｅ参照）。
【０１０５】
加えて、２つの曲げ要素４１０、４２０の各々が、少なくとも１つの第１の固定デバイス４１１、４２１および少なくとも１つの第２の固定デバイス４１２、４２２を備える。ここに示す支持要素４００の場合、第１の固定デバイス４１１、４２１および第２の固定デバイス４１２、４２２は各々、１つまたはいくつかのリベットからなる。各々の場合に、第１の固定デバイス４１１、４２１は、第１の固定デバイス４１１／４２１に対する第１／第２の曲げ要素４１０／４２０の動きを防止するように配置される。この場合、第１／第２の曲げ要素４１０／４２０は、リベット４１１／４２１によりインソール板４５０に固定してリベット留めされる。ここに示す場合には、第２の固定デバイス４１２／４２２がリベットからなり、このリベットは、インソール板４５０に固定して接続されるが、第１／第２の曲げ要素４１０／４２０の細長孔（リベットの頭部により隠れているため図４ａ〜図４ｄでは見られない）内に配置されて、第１／第２の曲げ要素４１０／４２０が、閾値角度範囲までの曲げに対して細長孔内で基本的に自由に動けるようになっている。他方で、閾値角度範囲を超える曲げに対して、細長孔の縁部がさらなる動きを防止するため、曲げ要素４１０および４２０、したがって曲げシステム４０５内に追加の引張応力を発生させる。
【０１０６】
ここに示す実施形態では、突起４１５、４２５と対応する凹部４１６、４２６のそれぞれの縁部との間隙、すなわち距離は、約１．２ｍｍに達する。細長孔内のリベット４１２、４２２の間隙は、ほぼ同一の大きさに選択される。細長孔内のリベット４１２、４２２の間隙は、例えば約１ｍｍである。図４ｅに示すように、これは、初期状態に対して測定された閾値角度範囲（図１ｂについての説明を参照）が、本実施形態では約７ｍｍの変位回りの範囲にあり、これがシューズサイズＵＫ８．５の支持要素４００についての約２０°の曲げ角度に対応するという効果を有する。
【０１０７】
最後に、図４ｅ、図４ｆは、図１ａ〜図１ｃで説明した方法と同様の測定方法により測定された、異なる変位−力−曲線４７１、４７２、４７３、４７４を示す。測定曲線４７１、４７２、４７３は、先行技術の支持要素についての変位−力−曲線を示すが、変位−力−曲線４７４は本発明の支持要素４００に対応する。シューズサイズＵＫ８．５のシューズのソールのための支持要素が、測定に使用された。
【０１０８】
測定の最も顕著な特徴は、先行技術のすべての支持要素、すなわち測定曲線４７１、４７２、４７３について、閾値角度範囲までの曲げに対する第１の曲げ剛性が、閾値角度範囲を超える曲げに対する曲げ剛性よりも小さいことである。すべての測定について、閾値角度範囲は約５ｍｍ〜９ｍｍの範囲にある。それは、先行技術から公知の支持要素が、中立の無力初期状態から始まってより柔くなることを意味する。
【０１０９】
支持要素４００、測定曲線４７４のみが、所望の挙動、すなわち無力初期状態から始まって、閾値角度範囲を超える曲げに対する曲げ剛性の増加を示す。これは、支持要素４００が閾値角度範囲を超える曲げに対してより堅くなることを意味する。
【０１１０】
図４ｆに示すように、支持要素４００の第１の曲げ剛性は、閾値角度範囲までの曲げに対してほぼ一定である。閾値角度範囲を超える曲げに対する第２の曲げ剛性（少なくとも、高い曲げ角度の飽和値まで）にも同じことが当てはまる。
【０１１１】
しかしながら、閾値角度範囲までの曲げに対する、および／または閾値角度範囲を超える曲げに対するこのような一定の曲げ剛性は、本発明の必須の特徴ではないことに注目されたい。それどころか、本発明の支持要素の実施形態の変位−力−曲線の正確な形状は、所与の場合に選択された特定の設計によって決まる。何度も前述したように、支持要素が、閾値角度範囲までの曲げに対する第１の曲げ剛性と、閾値角度範囲を超える曲げに対する第２の曲げ剛性とを含み、第２の曲げ剛性が第１の曲げ剛性よりも大きいことが重要である。
【０１１２】
図４ｆに示すように、ほぼ一定の曲げ剛性の領域について、第２の曲げ剛性と第１の曲げ剛性との比は、約７８Ｎｍｍ−１／３５Ｎｍｍ−１≒２．２３である。
【０１１３】
測定が行われたすべての支持要素について、支持要素を曲げるために及ぼされたエネルギーのすべての量が、初期状態に戻るときに再び放出されるわけではないことにさらに注目されたい。したがって、測定曲線４７１、４７２、４７３、４７４は、ヒステリシス曲線の特徴的な形状を示す。
【０１１４】
図５、図６ａ〜図６ｃ、図７、および図８は、本発明の支持要素のさらなる可能な実施形態、ならびにこのような支持要素を有するシューズソールおよびシューズの実施形態を示す。不要な繰り返しを避けるために、すでに全体として述べられた実施形態の文脈でなされた説明が、適用可能であれば、以下で述べる、または想定されるすべての実施形態にも当てはまる。これは、閾値角度範囲の位置、第１の曲げ剛性と第２の曲げ剛性との比、想定される使用材料等に特に当てはまる。
【０１１５】
図５は、本発明の支持要素５００のさらなる実施形態を示す。支持要素５００は曲げシステム５００を備え、曲げシステム５００は、閾値角度範囲を超える曲げに対して、追加の引張応力が曲げシステム５００に発生し、このようにして曲げ剛性が増加するように設けられる。曲げシステム５００について、これは、閾値角度範囲を超える曲げに対して互いに係合して追加の引張応力を発生させるように配置された、第１の曲げ要素５１０および第２の曲げ要素５２０を備える曲げシステム５００によって達成される。より正確には、この場合、第１の曲げ要素５１０は少なくとも１つの突起５１５を備え、この突起５１５は、第２の曲げ要素５２０の凹部５２５に配置され、閾値角度範囲を超える曲げに対して、凹部５２５の縁部に圧力嵌めにより当接する。
【０１１６】
図５に示す曲げシステム５００は、４つのこのような突起５１５および４つの対応する凹部５２５を備え、突起５１５には正方形の横断面が設けられ、凹部５２５には矩形の横断面が設けられる。しかしながら、異なる数の突起５１５および／または凹部５２５も想定される。また、異なる横断面形状を選択してもよい。例えば、突起５１５には、円形横断面と、細長孔に対応する凹部５２５が設けられてもよい。突起５１５が、例えば円形または長円形横断面を有するピンとして設けられることが特に想定される。これは、例えば、図５に示す曲げシステム５００と比べて製造を簡単にする目的を果たすことができる。他方、図５に示す曲げシステム５００について、閾値角度範囲を超える曲げに対する、突起５１５と凹部５２５の縁部との間の力の伝達が、場合によってより良好になり得る。
【０１１７】
第１の曲げ要素５１０および／または第２の曲げ要素５２０を可撓性金属板として設けてもよい。しかしながら、第１の曲げ要素５１０および／または第２の曲げ要素５２０が以下の材料、すなわちプラスチック、例えばポリオキシメチレンおよび／またはポリアミド、ガラス繊維の１つまたは複数を含むことも想定される。
【０１１８】
図５に、支持要素５００を有するソール５４０を備えたシューズ５５０がさらに示される。支持要素５００は、足の前半部の領域、特にＭＴＰ関節の領域で足を支持するように配置される。ここでは、第１の曲げ要素５１０が、例えばこの目的で設けられた第１の曲げ要素５１０の２つの端部５１２で、ねじ５１３および／またはリベット（図示せず）により、例えばソール５４０のミッドソール層（図示せず）に接続され、足のつま先（前端部）に面した第２の曲げ要素５２０の端部は、ソール５４０のアウトソール層に接続される。このために、第２の曲げ要素５２０の前端部は、例えば、アウトソールの材料に埋め込まれても、および／または追加の固着デバイス５４２によりアウトソールに固着されてもよい。これらの固着デバイス５４２は、例えば、図５に示すように、第２の曲げ要素５２０が圧力により固着デバイス５４２にスナップ嵌めして固着されるように、アウトソールと単一の一体部品として製造されてもよい。前足領域における、閾値角度範囲までのソール５４０の曲げにより、アウトソールにこのように接続された第２の曲げ要素５２０が、ミッドソールに固定して接続された第１の曲げ要素５１０に対して摺動する。しかしながら、閾値角度範囲を超える曲げに対しては、係合突起５１５および凹部５２５によって、さらなる摺動が防止され、追加の引張応力がソール５４０内に発生する。
【０１１９】
図６ａ〜図６ｃは、本発明の支持要素６００ａ、６００ｂ、６００ｃのさらなる実施形態を示す。支持要素６００ａ、６００ｂ、６００ｃは各々、曲げシステム６００ａ、６００ｂ、６００ｃを備え、これらの曲げシステムは、閾値角度範囲を超える曲げに対して、追加の引張応力が曲げシステム６００ａ、６００ｂ、６００ｃ内で発生して曲げ剛性が増加するように設けられる。これを達成するために、曲げシステム６００ａ、６００ｂ、６００ｃは各々、紐要素６２５ａ、６２５ｂ、６２５ｃを備え、閾値角度範囲までの曲げに対して、紐要素６２５ａ、６２５ｂ、６２５ｃは第１の引張応力を受け、閾値角度範囲を超える曲げに対して、第１の引張応力よりも大きい第２の引張応力を受ける。この文脈で、第１の引張応力はゼロに等しい、すなわち、閾値角度範囲までの曲げに対して、紐要素６２５ａ、６２５ｂ、６２５ｃにある程度の「紐の緩み（slack rope）」があると想定される。しかしながら、閾値角度範囲までの曲げに対しても、紐要素６２５ａ、６２５ｂ、６２５ｃに第１の引張応力がすでにあることも想定される。紐要素６２５ａ、６２５ｂ、６２５ｃは、例えば２種類の繊維要素（図示せず）を備えることができ、そのうちの第１の種類は、閾値角度範囲までの曲げに対して引張応力をすでに受け、第２の種類は、最初は基本的に張力を受けず、閾値角度範囲を超える曲げに対してのみ引張応力を受けるようになる。
【０１２０】
図６ａに示す支持要素６００ａは、第１の曲げ要素６１０ａおよび第２の曲げ要素６２０ａを備える。紐要素６２５ａは、第２の曲げ要素６２０ａの２つの対向する端部にさらに接続され、第２の曲げ要素に斜めに巻き付けられて、閾値角度範囲までの曲げに対しては、紐要素６２５ａにある程度の「紐の緩み」があるが、閾値角度範囲を超える曲げに対しては、紐要素６２５ａが伸びて追加の引張応力が紐要素６２５ａ内に発生するようになっている。第１の曲げ要素６１０ａは、例えば図６ａに示すねじ６２２ａにより、および／またはリベットにより、例えば第２の曲げ要素６２０ａに固定して配置され得る。
【０１２１】
本明細書で前述したように、閾値角度範囲までの曲げに対しては最初に互いに対して動くことができ、閾値角度範囲を超える曲げに対してのみ拘束されるように、第１の曲げ要素６１０ａおよび第２の曲げ要素６２０ａが互いに接続されることも想定される。これを達成するために、ねじ６２２ａを、例えば、第２の曲げ要素６２０ａの細長孔内に配置することができる。そして、紐要素６２５ａにおける追加の引張応力の発生は、ねじ６２２ａが第２の曲げ要素６２０ａにより拘束される同一の閾値角度範囲内、または異なる閾値角度範囲内、例えばより大きい曲げ角度で設定され得る。
【０１２２】
図６ａは、支持要素６００ａのあるソール６４０ａを有するシューズ６５０ａをさらに示し、支持要素６００ａは、このために設けられた端部６１２ａでねじ６１３ａおよび／またはリベット（図示せず）によりソール６４０ａに接続される。加えて、追加の固着デバイス６４２ａは、さらに支持要素６００ａをソール６４０ａで固着することができる。
【０１２３】
図６ｂに示す支持要素６００ｂは、１つの曲げ要素６１０ｂのみを備える。曲げ要素６１０ｂは、複数の突起６１５ｂの周りにジクザグに案内された紐要素６２５ｂを備える。紐要素６２５ｂ、シューズ６５０ｂ、およびシューズ６５０ｂのソール６４０ｂでの支持要素６００ｂの配置に関し、上記説明が当てはまる。
【０１２４】
最後に、図６ｃに示す支持要素６００ｃは、図６ｂに示す支持要素６００ｂとは、紐要素６２５ｃの配置のみが異なり、この紐要素６２５ｃは、図６ｃに示す支持要素６００ｃの場合、支持要素６００ｃの上側に沿って部分的に延び、かつ下側に沿って部分的に延びる。ここに示す支持要素６００ｃのあるソール６４０ｃを有するシューズ６５０ｃに関しても、シューズ６５０ａまたは６５０ｂとの大きな違いはない。
【０１２５】
図７は、支持要素７００、およびこのような支持要素７００のあるソール７４０を有するシューズ７５０のさらなる本発明の実施形態を示す。支持要素７００も、閾値角度範囲までの曲げのない初期状態からの曲げに対する第１の曲げ剛性と、閾値角度範囲を超える曲げに対する、第１の曲げ剛性よりも大きい第２の曲げ剛性とを有するように設けられる。閾値角度範囲の位置、第１の曲げ剛性と第２の曲げ剛性との比等に関し、支持要素７００にも当てはまる上記説明を再び明確に参照する。
【０１２６】
支持要素７００は曲げシステム７００を備える。しかしながら、曲げシステム７００は、今度は、閾値角度範囲を超える曲げに対して、追加の圧縮応力が曲げシステム７００に発生することにより、曲げ剛性が増加するように設けられる。ここに示す場合には、曲げシステム７００は第１の圧力要素７１０および第２の圧力要素７２０を備える。第１の圧力要素７１０および第２の圧力要素７２０は、閾値角度範囲を超える曲げに対して互いに押し付けられるように配置されて、さらなる曲げに対抗する追加の圧縮応力を発生させることにより、曲げシステム７００の曲げ剛性を増加させる。第１の圧力要素７１０および第２の圧力要素７２０は、例えば、閾値角度範囲までの曲げに対して、圧力要素７１０、７２０間に追加の圧縮応力が発生しないように設けられる。
【０１２７】
これを達成するために、例えば、曲げのない無力初期状態で、第１の圧力要素７１０および第２の圧力要素７２０間に適切な間隙があってもよい。当業者は、第１の圧力要素７１０および／または第２の圧力要素７２０の材料を適切に選択することにより、追加で発生した圧縮応力およびこれによる曲げ剛性の増加が影響され得ることをさらに理解するだろう。例えば、圧力要素７１０、７２０にゴムを使用すると、例えば、ばね鋼を使用したときに比べて、追加の圧縮応力かなり小さくなり、閾値角度範囲を超える曲げに対する曲げ剛性の増加がかなり小さくなる。
【０１２８】
シューズ７５０のソール７４０での支持要素７００の固着に関し、図６ａ〜図６ｃの文脈における説明が一般に当てはまる。しかしながら、曲げ剛性を増加させるための修正された原理、すなわち、追加の引張応力の代わりとなる追加の圧縮応力の発生により、圧力要素７１０、７２０がシューズの内側に面したシューズソール７４０の側に配置されることが想定されることに注目されたい。
【０１２９】
このような支持要素を単一の一体部品として製造し、シューズの内側に面するソールの側に配置され得る円錐形の凹部が、第１の圧力要素と第２の圧力要素との間で延びることがさらに想定される。閾値角度範囲を超える曲げに対して、追加の圧縮応力を発生させるために、第１の圧力要素および第２の圧力要素が互いに押し付けられるように支持要素が曲がることよって、円錐形凹部が消え得る。当業者は、円錐形凹部の設計、特に円錐形凹部の角度が閾値角度範囲に影響することを理解するだろう。
【０１３０】
図８は、図７に示すシューズ７５０のさらに想定される変形形態８００を示す。シューズ７５０とは対照的に、図８に示す例８００では、支持要素、例えば支持要素７００がシューズアッパー８４０に配置される。この文脈で、（前）足部の曲率に関して修正された位置によって、圧力要素７１０、７２０が、この場合シューズの内側から離れた方に面したシューズアッパー８４０の側に、場合により配置されることに注目されたい。それ以外は、図７に示す実施形態７００、７５０に関して述べたものと同一の考察が当てはまる。
【符号の説明】
【０１３１】
１００  可撓性部品
１１０  一端部
１２０  他端部
１３０  破線
１４０  接線
１４５  接線
Ｌ  長さ
Ｆ  力
ｓ  変位
α  曲げ角度
２００、４００、５００、６００ａ、６００ｂ、６００ｃ、７００  支持要素
２０５、４０５、５００、６００ａ、６００ｂ、６００ｃ、７００、９０５、１００５、１１０５  曲げシステム
２１０、４１０、５１０、９１０、１０１０  第１の曲げ要素
２１１、２２１、４１１、４２１、９１１、９２１  第１の固定デバイス
２１２、２２２、４１２、４２２、９１２、９２２、１１１２、１１２２  第２の固定デバイス
２１５、２２５、４１５、４２５、５１５、９１５、９２５、１０１５、１０２５  突起
２１６、２２６、４１６、４２６、５２５、９１６、９２６、１０１６、１０２６  凹部
２１８、２２８、１１１８、１１２８  開口
２２０、４２０、５２０、９２０、１０２０  第２の曲げ要素
２５０、４５０  インソール板
３００、５４０、６４０ａ、６４０ｂ、７４０  ソール
３４０  アウトソール
３４２  クリート要素
４７１、４７２、４７３、４７４  測定曲線
４９０  空洞
５４２  固着デバイス
５５０、６５０ａ、６５０ｂ、６５０ｃ、７５０、８００  シューズ
６２５ａ、６２５ｂ、６２５ｃ  紐要素
７１０  第１の圧力要素
７２０  第２の圧力要素
８４０  シューズアッパー
１１１８、１１２８  細長孔
【図１ａ】
2015198931.tif 000003
【図１ｂ】
2015198931.tif 000004
【図１ｃ】
2015198931.tif 000005
【図２ａ】
2015198931.tif 000006
【図２ｂ】
2015198931.tif 000007
【図２ｃ】
2015198931.tif 000008
【図２ｄ】
2015198931.tif 000009
【図２ｅ】
2015198931.tif 000010
【図３ａ】
2015198931.tif 000011
【図３ｂ】
2015198931.tif 000012
【図４ａ】
2015198931.tif 000013
【図４ｂ】
2015198931.tif 000014
【図４ｃ】
2015198931.tif 000015
【図４ｄ】
2015198931.tif 000016
【図４ｅ】
2015198931.tif 000017
【図４ｆ】
2015198931.tif 000018
【図５】
2015198931.tif 000019
【図６ａ】
2015198931.tif 000020
【図６ｂ】
2015198931.tif 000021
【図６ｃ】
2015198931.tif 000022
【図７】
2015198931.tif 000023
【図８】
2015198931.tif 000024
【図９】
2015198931.tif 000025
【図１０】
2015198931.tif 000026
【図１１】
2015198931.tif 000027
【図１２ａ】
2015198931.tif 000028
【図１２ｂ】
2015198931.tif 000029
【外国語明細書】
2015198931000001.pdf